(57)【要約】【課題】ＬＥＤ基板の取付構造を熱溶着手段等を用いない構造からなるようにするとともに、ガタ付き等の生じないような構造からなるようにする。【解決手段】ＬＥＤ６の取付けられるＬＥＤ基板５と、ＬＥＤ基板５を保持するものであって上記ＬＥＤ基板５を含む各部品を収納するハウジング１と、ＬＥＤ６からの光を反射させる役目を果たすリフレクタ２と、リフレクタ２にて反射された光を所定の方向へ透過させるレンズ３と、からなる車両用ランプ装置において、ＬＥＤ基板５の固定を、ハウジング１とリフレクタ２との間にて挟み込むように保持するとともに、リフレクタ２側に設けられた基板押え部２５の弾性変形にて押し込むようにする構成からなるようにした。【選択図】図１
2008084719.tif 000002
【特許請求の範囲】
【請求項１】
複数のＬＥＤの取付けられるＬＥＤ基板と、当該ＬＥＤ基板を保持するものであって上記ＬＥＤ基板を含む各部品を収納するハウジングと、上記ＬＥＤの周りに設けられて上記ＬＥＤからの光を反射させる役目を果たすリフレクタと、上記ＬＥＤからの光及び上記リフレクタにて反射された光を所定の方向へ透過させるレンズと、からなる車両用ランプ装置において、上記ＬＥＤ基板の固定構造を、上記ハウジングの一部に設けられるものであって上記ＬＥＤ基板の一端側を保持するように形成されたリセス状の基板保持部と、リフレクタの一部に設けられるものであって上記ＬＥＤ基板のもう一方の端部側を押え付けるように形成された基板押え部と、上記ハウジングまたはリフレクタのいずれか一方側から直立状に突出するように形成されるものであって弾性体からなるフック状の係合爪並びに上記リフレクタ縦壁の一部またはハウジングの一部のいずれか一方側に設けられるものであって上記係合爪と係合するように形成された係合穴または係合部からなるリフレクタ・ハウジング結合部と、からなるようにしたことを特徴とする車両用ランプ装置。
【請求項２】
請求項１記載の車両用ランプ装置において、上記リフレクタの一部に形成される基板押え部を弾性変形可能なように形成させるとともに、上記リフレクタ・ハウジング結合部の結合作用によって上記リフレクタとハウジングとが結合されたときに、上記ＬＥＤ基板側へは上記基板押え部側から上記ＬＥＤ基板をハウジング側へ押え付けるように作用するものであって基板押え部の弾性変形にて形成される力が働くようにした構成からなることを特徴とする車両用ランプ装置。
【発明の詳細な説明】
【技術分野】
【０００１】
本発明は、光源が複数のＬＥＤにて形成される車両用ランプ装置に関するものであり、特に、サイドターンシグナルランプあるいはサイドマーカランプ等の補助灯を形成する車両用ランプ装置に関するものである。
【背景技術】
【０００２】
従来の車両用ランプ装置、特に複数のＬＥＤを用いたランプ装置においては、複数のＬＥＤを搭載したＬＥＤ基板を基礎に、当該ＬＥＤ基板を保持するハウジング、上記ＬＥＤの周りに設けられるリフレクタ、当該リフレクタにて反射された上記ＬＥＤからの光を前方へと透過させるレンズ等からなるものである。そして、これらが上記ハウジングを基礎として一体化され、車両用ランプ装置が形成されるようになっているものである。このような構成からなるものにおいて、上記ＬＥＤ基板のハウジング内への取付け（収納）に当っては、一般に熱溶着手段または超音波溶着手段、あるいはネジ止め手段等が採られるようになっているものである。
【特許文献１】特開２００５−３１９９０９号公報
【発明の開示】
【発明が解決しようとする課題】
【０００３】
ところで、上記従来のものにおいては、熱溶着工程あるいはネジ止め工程等、煩雑な作業工程が必要とされ、作業効率が良くないと言う問題点がある。また、熱溶着作業工程中等において、基板上における回路パターン等に損傷を加えるおそれがあると言う問題点がある。このような問題点を解決するために、基板のハウジング内への固定を、熱溶着手段等を用いないで済むようにした、組込作業性に優れた、かつ、基板の固定性に優れた、特殊な基板固定構造を有する車両用ランプ装置を提供しようとするのが、本発明の目的（課題）である。
【課題を解決するための手段】
【０００４】
上記課題を解決するために、本発明においては次のような手段を講ずることとした。すなわち、請求項１記載の発明である第一の発明においては、複数のＬＥＤの取付けられるＬＥＤ基板と、当該ＬＥＤ基板を保持するものであって上記ＬＥＤ基板を含む各部品を収納するハウジングと、上記ＬＥＤの周りに設けられて上記ＬＥＤからの光を反射させる役目を果たすリフレクタと、上記ＬＥＤからの光及び上記リフレクタにて反射された光を所定の方向へ透過させるレンズと、からなる車両用ランプ装置に関して、上記ＬＥＤ基板の固定構造を、上記ハウジングの一部に設けられるものであって上記ＬＥＤ基板の一端側を保持するように形成されたリセス状の基板保持部と、リフレクタの一部に設けられるものであって上記ＬＥＤ基板のもう一方の端部側を押え付けるように形成された基板押え部と、上記ハウジングまたはリフレクタのいずれか一方側から直立状に突出するように形成されるものであって弾性体からなるフック状の係合爪並びに上記リフレクタ縦壁の一部またはハウジングの一部のいずれか一方側に設けられるものであって上記係合爪と係合するように形成された係合穴または係合部からなるリフレクタ・ハウジング結合部と、からなるようにした構成を採ることとした。
【０００５】
また、請求項２記載の発明である第二の発明においては、請求項１記載の車両用ランプ装置に関して、上記リフレクタの一部に形成される基板押え部を弾性変形可能なように形成させるとともに、上記リフレクタ・ハウジング結合部の結合作用によって上記リフレクタとハウジングとが結合されたときに、上記ＬＥＤ基板側へは上記基板押え部側から上記ＬＥＤ基板をハウジング側へ押え付けるように作用するものであって基板押え部の弾性変形にて形成される力が働くようにした構成を採ることとした。
【発明の効果】
【０００６】
第一の発明によれば、ＬＥＤ基板のハウジングへの固定をはじめとした、本車両用ランプ装置全体の組付け作業または各部品の組込作業が、手際良く、かつ、効率良く進められることとなる。すなわち、従来のものにおいて行われていたＬＥＤ基板のハウジングへの熱溶着作業あるいはネジ止め作業等が不要となり、ハウジングを基礎として、ここにＬＥＤ基板、更にはリフレクタ等を順次組付けて行けば良く、このような作業を連続的に行なうことによって、最終的には車両用ランプ装置が形成されることとなる。また、熱溶着作業が不要となることによって、従来のものにおいて懸念されていた作業中におけるＬＥＤ基板上の回路パターン損傷等を配慮する必要が無くなり、組立作業の効率化を図ることができるようになった。
【０００７】
また、第二の発明のものにおいても、上記第一の発明のものと同様、組立作業の効率向上等を図ることができるようになる。更に、これらに加えて、本発明のものにおいては、組立てられた後における上記ＬＥＤ基板のガタ付き防止等を図ることができるようになる。すなわち、本発明のものにおいては、ＬＥＤの搭載されたＬＥＤ基板は、その一端がハウジングに設けられたリセス状の基板保持部にて保持されるとともに、このような状態において、ＬＥＤ基板は、もう一方の端部側が、リフレクタに設けられた基板押え部を介して上記リセス状の基板保持部側へ押し付けられるようになる。すなわち、ＬＥＤ基板上にリフレクタが装着される（取付けられる）と、上記基板押え部が弾性変形をすることによって形成される弾性力によって、ＬＥＤ基板は上記ハウジングに設けられた基板保持部側へ押し付けられることとなる。これによって、ＬＥＤ基板は上記ハウジングの基板保持部のところに、弾性力（バネ反力）にて確実に保持されることとなる。その結果、ＬＥＤ基板は、車両走行中等においてハウジング内にてガタ付いたりするようなことがなく、ＬＥＤまたは回路部等の保護が確実に行われることとなる。
【発明を実施するための最良の形態】
【０００８】
本発明を実施するための最良の形態について、図１ないし図５を基に説明する。本実施の形態にかかるものは、図１に示す如く、複数のＬＥＤ６の取付けられるＬＥＤ基板５と、当該ＬＥＤ基板５を保持するものであって上記ＬＥＤ基板５を含む各部品を収納するハウジング１と、上記ＬＥＤ６の周りに設けられて上記ＬＥＤ６からの光を反射させる役目を果たすリフレクタ２と、上記ＬＥＤ６からの光及び上記リフレクタ２にて反射された光を所定の方向へ透過させるレンズ３と、からなる車両用ランプ装置に関するものである。
【０００９】
このような構成からなる車両用ランプ装置において、本実施の形態のものにおいては、上記ＬＥＤ基板５の固定構造が、次に述べる如く、特殊な構成からなるものである。すなわち、本固定構造は、例えば図２に示す如く、ハウジング１の一部に設けられるものであって上記ＬＥＤ基板５の下端部５１側を保持するように形成されたリセス状の基板保持部１５５と、リフレクタ２の一部に設けられるものであって上記ＬＥＤ基板５のもう一方の端部である上端部５２側を押え付けるように形成された基板押え部２５と、上記リフレクタ２の側端部から直立状に突出するように形成されるものであってフック状の形態からなり、かつ、弾性変形可能なように形成された係合爪２１並びに上記ハウジング１の一部に設けられるものであって上記係合爪２１と係合するように形成された係合部１２にて形成されるリフレクタ・ハウジング結合部１２１（図３，図４参照）と、からなるものである。
【００１０】
なお、上記リフレクタ・ハウジング結合部の構成については、この他に、図３の下半部及び図４の下半部に示すような構成からなるものが挙げられる。このもの、すなわち、リフレクタ・ハウジング結合部１２２の構成は、既に述べたもの（リフレクタ・ハウジング結合部１２１）とは逆の構成からなるものである。具体的には、図３及び図４に示す如く、ハウジング１のベース部１９側から直立するように設けられるものであってフック状の形態からなるとともに、所定の弾性を有するように形成された係合爪１１と、当該係合爪１１と係合するように形成されるものであってリフレクタ２の縦壁の一部に設けられる係合穴２２と、からなるものである。このように、リフレクタ・ハウジング結合部は、一つのもの（１２１）はフック状係合爪２１がリフレクタ２側に設けられるとともに、この係合爪２１がハウジング１側に設けられた係合部１２に嵌り込んでリフレクタ・ハウジング結合部１２１が形成される。一方、他のところにおいては、ハウジング１側に設けられた係合爪１１がリフレクタ２の縦壁の一部に設けられた係合穴２２に係合してリフレクタ・ハウジング結合部１２２が形成されるようになっているものである。これら二通りの結合構造を適宜採ることによって、ハウジング１とリフレクタ２との結合が確実に行われるとともに、これによってＬＥＤ基板５はハウジング１とリフレクタ２との間に挟まれた状態で確実に固定されることとなる。
【００１１】
次に、このような構成からなるものにおいて、ＬＥＤ基板５の固定方法について、図２及び図５を基に説明する。まず、矩形状の形態からなるものであって複数のＬＥＤ６の取付けられたＬＥＤ基板５は、例えば図２に示す如く、その一端側である下端部５１のところが、ハウジング１の縦壁１５の周りに設けられるものであってリセス溝状の形態からなる基板保持部１５５のところに挿入され、ここに保持される。また、これと同時に、ＬＥＤ基板５の長手方向両端部５３、５４のところが、上記ハウジン１の縦壁１５の一部に設けられた縦溝状の形態からなる別の基板保持部１５３、１５４のところに滑り込むように挿入され、ここのところに嵌り込むようになる。これによって、ＬＥＤ基板５は上記ハウジング１内において当該ハウジング１の縦壁１５に沿うように保持されることとなる。
【００１２】
このような状態において、図２に示す如く、その上方側からリフレクタ２が被せられるように取り付けられると、リフレクタ２の一部に設けられた庇状の基板押え部２５のところが上記ＬＥＤ基板５のもう一方の端部である上端部５２のところに接触して、この基板押え部２５のところが上記ＬＥＤ基板５を下方へと押え込むように作用する。特に、本実施の形態のものにおいては、ハウジング１とリフレクタ２との結合構造が、例えば図３及び図４に示す如く、いずれか一方側から直立するように設けられた係合爪１１、２１と、これら係合爪１１、２１と係合する係合部１２または係合穴２２とによって形成されるようになっているものである。そして、このようにして結合された状態においては、上記リフレクタ２に設けられた庇状の基板押え部２５のところには、上記結合作用に基づき、当該基板押え部２５の弾性変形による上記ＬＥＤ基板５を下方へと押え付けるように働く弾性力が作用するようになっている。従って、このようにしてＬＥＤ基板５がハウジング１とリフレクタ２との間に正しく取付けられると、ＬＥＤ基板５は、上記ハウジング１とリフレクタ２との間において取付けガタ等の無い状態で固定されることとなる。
【００１３】
このように、ハウジング１を基礎として、ここに複数のＬＥＤ６の搭載されたＬＥＤ基板５が取付けられるとともに、その上方側からリフレクタ２がリフレクタ・ハウジング結合部１２１、１２２を介して取付けられ、更に、その上方側あるいは外側のところにレンズ３が取付けられることによって、例えば図５に示すような車両用ランプ装置が形成されることとなる。このようにして形成された本実施の形態にかかる車両用ランプ装置においては、例えば図５に示す如く、複数のＬＥＤ６から発せられた光は、リフレクタ２の各反射面２８にて反射されて、レンズ３を透過し、ほぼ平行光束となって所定の方向へと進行する。そして、その結果、特定方向がＬＥＤ６からの光によって照射されることとなる。
【００１４】
このような構成からなる本実施の形態のものにおいては、ＬＥＤ基板５は、ハウジング１のところにリフレクタ２に形成された基板押え部２５の弾性変形に基づく弾性力によって確実に保持され、ハウジング１とリフレクタ２との間においてガタ付き等の無い状態で確実に固定されることとなる。なお、このような構成からなる本実施の形態のものにおいては、上記ＬＥＤ基板５のハウジング１等への固定が、従来のものにおいて行われていた熱溶着手段等を用いない方法を採るようにしたことより、組立作業あるいは部品組込作業の効率化を図ることができるようになるとともに、熱溶着作業中における回路パターンの損傷等を懸念する必要が無くなり、これによっても全組立作業の効率化を図ることができるようになった。
【図面の簡単な説明】
【００１５】
【図１】本発明の全体構成を示す展開斜視図である。
【図２】本発明の主要部をなすハウジング、ＬＥＤ基板、及びリフレクタの構成を示す展開斜視図である。
【図３】本発明におけるリフレクタ・ハウジング結合部の構成を示す一断面図である。
【図４】本発明におけるリフレクタ・ハウジング、及びレンズの組付けられた状態を示す横断面図である。
【図５】本発明の全体構成を示す横断面図である。
【符号の説明】
【００１６】
１  ハウジング
１１  係合爪
１２  係合部
１２１  リフレクタ・ハウジング結合部
１２２  リフレクタ・ハウジング結合部
１５  縦壁
１５３  基板保持部
１５４  基板保持部
１５５  基板保持部
１９  ベース部
２  リフレクタ
２１  係合爪
２２  係合穴
２５  基板押え部
２８  反射面
３  レンズ
５  ＬＥＤ基板
５１  下端部
５２  上端部
５３  長手方向端部
５４  長手方向端部
６  ＬＥＤ
【図１】
2008084719.tif 000003
【図２】
2008084719.tif 000004
【図３】
2008084719.tif 000005
【図４】
2008084719.tif 000006
【図５】
2008084719.tif 000007